(57)【要約】【課題】  簡単、迅速、しかも安全に釣餌を装着することができるベイトフィッシュホルダーを提供する。【解決手段】  ベイトフィッシュホルダー(10)は、釣糸(11)を取り付けるアイ(21)を備えたシンカーヘッド(20)と、  ベイトフィッシュ(60)を支持する軸部(31)の一端を前記シンカーヘッド(20)に固定し、前記軸部(31)の他端側に所定方向に湾曲した曲がり部(32)を備えた釣針部(30)と、  前記釣針部(30)の軸部(31)に支持されたベイトフィッシュ(60)の側方を当てる押さえ部(40)と、  一端を前記シンカーヘッド(20)に固定し、他端側を前記押さえ部(40)との間で前記ベイトフィッシュ(60)を挟み込むように近接し、かつ離反可能に可動自在である可動アーム(50)と、を備える。  前記押さえ部(40)は、前記釣針部(30)の軸部(31)に載置されたベイトフィッシュ(60)に突き刺すための固定針(44)を有する。【選択図】  図１
2014161329.tif 000002
【特許請求の範囲】
【請求項１】
釣糸を取り付けるアイを備えたシンカーヘッドと、
ベイトフィッシュを支持する軸部の一端を前記シンカーヘッドに固定し、前記軸部の他端側に所定方向に湾曲した曲がり部を備えた釣針部と、
前記釣針部の軸部に支持されたベイトフィッシュの側方を当てる押さえ部と、
一端を前記シンカーヘッドに固定し、他端側を前記押さえ部との間で前記ベイトフィッシュを挟み込むように近接しかつ離反可能に可動自在である可動アームとを備え、
前記押さえ部は、前記釣針部の軸部に載置されたベイトフィッシュを突き刺すための固定針を有するベイトフィッシュホルダー。
【請求項２】
前記可動アームは、前記押さえ部との間でベイトフィッシュを挟み込む際に、前記軸部に載置されたベイトフィッシュの脇腹を当てる当接材を有する請求項１に記載のベイトフィッシュホルダー。
【請求項３】
前記の固定針における最もシンカーヘッド寄りに位置する固定針は、ベイトフィッシュの目を突き刺すのに適した位置へ配置することとした請求項１または請求項２のいずれかに記載のベイトフィッシュホルダー。
【請求項４】
前記押さえ部は、一端を前記シンカーヘッドに固定し、他端側を前記釣針部の軸部に固定することとした請求項１から請求項３のいずれか一つに記載のベイトフィッシュホルダー。
【請求項５】
前記可動アームにおけるシンカーヘッドと反対側の端部側は、ベイトフィッシュに触れずに跨いで前記押さえ部へ係合する係合部を備えた請求項１から請求項４のいずれか一つに記載のベイトフィッシュホルダー。
【発明の詳細な説明】
【技術分野】
【０００１】
本発明は、簡単に、迅速に、しかも安全に釣餌を装着することができるベイトフィッシュホルダーに関する。
【背景技術】
【０００２】
釣餌となる小魚（ベイドフィッシュ）を保持するベイトフィッシュホルダーを仕掛けとして用いる魚釣りが存在する。例えば、太刀魚釣りでは、典型的な釣り餌としてキビナゴがベイトフィッシュとして仕掛けられる。
冷凍あるいは解凍されたキビナゴが用いられる場合、その身が非常に脆いので、ベイトフィッシュホルダーへ素早く装着することが求められる。しかも、魚の摂餌行為が活発になる時間帯である「地合」は、一般に短時間である。したがって、身崩れしたキビナゴを前記ベイトフィッシュホルダーから取り外して新たなキビナゴを装着するのは、迅速さが求められる。
【０００３】
特許文献１に示すように、簡単かつ迅速に釣餌となる小魚（ベイトフィッシュ）を装着することができる太刀魚釣りに適したベイトフィッシュホルダーが開示されている。  そのベイトフィッシュホルダー７０は、図７（ａ）および図７（ｂ）に示すように、シンカーヘッド７１と、釣針部７２と、補助アーム７３とを備えている。
【０００４】
前記シンカーヘッド７１は、釣糸を取り付けるアイ７１ａを備えている。  前記釣針部７２は、ベイドフィッシュ（例えば、キビナゴ）を支持する軸部７２ａを備えており、前記軸部７２ａの一端を前記シンカーヘッド７１に固定する。さらに、前記軸部７２ａの他端側は先端に所定方向に湾曲した曲がり部７２ｂを備えている。前記曲がり部７２ｂの先端が釣針７２ｃであり、一般に返し７２ｄを設けている。前記釣針部７２の軸部７２ａには、前記ベイドフィッシュを側方から支えるためにガード７２ｆを設けている。
図７（ａ）では、板状のガード基部７２ｅを軸部７２ａの上側に沿って延ばし、前記ガード基部７２ｅの両側に、前記ガード７２ｆを上方へ折り曲げ形成している。さらに、前記ガード基部７２ｅは、ベイドフィッシュの腹部に突き刺さる固定針７２ｇを備えている。
【０００５】
前記補助アーム７３は、前記釣針部７２の軸部７２ａとの間に釣餌を挟み込むためのアームであり、その一端を前記シンカーヘッド７１に固定し、その他端側が前記釣針部７２の軸部７２ａに近接した近接姿勢と、前記軸部７２ａから離反した離反姿勢との間で変位する構成である。
前記補助アーム７３は、近接姿勢になった時に釣餌の脊椎部に突き刺さる固定針７３ａを備えている。すなわち、ベイドフィッシュを上下方向から挟むように、固定針７３ａおよび固定針７２ｇにて固定する。
さらに、前記補助アーム７３の他端は、前記釣針部７２の曲がり部７２ｂに係合する係合部を備えている。前記係合部の形状は、ワンタッチで前記軸部７２ａとの係合が解除されるように形成されている。
【先行技術文献】
【特許文献】
【０００６】
【特許文献１】特開２０１２−１２０４９６号公報
【発明の概要】
【発明が解決しようとする課題】
【０００７】
特許文献１のベイトフィッシュホルダー７０は、釣餌を装着するには、図７（ａ）に示すように、補助アーム７３を離反姿勢の状態にし、釣餌の頭部をシンカーヘッド７１に近い位置で軸部７２ａ（図ではガード基部７２ｅ）に載せて位置決めして、釣餌の腹部を固定針７２ｇへ突き刺す。次いで、図７（ｂ）に示すように、補助アーム７３の他端側と、釣針部７２の曲がり部７２ｂにおける先端の釣針７２ｃとを押さえながら、補助アーム７３を近接姿勢とするように移動させる。そのように移動しながら、補助アーム７３の固定針７３ａを釣餌の脊椎部に突き刺さし、補助アーム７３の他端の係合部を釣針部７２の曲がり部７２ｂへ係合する。
【０００８】
「地合」は夕刻から夜にかけての手元が暗くなる時間帯であることが多い。その時間帯において、補助アーム７３の固定針７３ａを、指先や手に突き刺してしまう可能性も否定できない。船の上での釣りの場合、船が揺れることによる不可抗力で指さし事故が発生してしまう可能性もある。
また、補助アーム７３の他端の係合部７３ｂを釣針部７２の軸部７２ａへ係合するとき、その係合部７３ｂが釣餌の尾びれに当たるために尾びれが切れやすい。もし、尾びれが切れると釣餌としては使用できないので、新たな釣餌に付けかえる必要が生じる。
【０００９】
本発明が解決しようとする課題は、簡単に、迅速に、しかも安全に釣餌を装着することができるベイトフィッシュホルダーを提供することにある。
【課題を解決するための手段】
【００１０】
（第一の発明）
第一の発明は、  釣糸(11)を取り付けるアイ(21)を備えたシンカーヘッド(20)と、  ベイトフィッシュ(60)を支持する軸部(31)の一端を前記シンカーヘッド(20)に固定し、前記軸部(31)の他端側に所定方向に湾曲した曲がり部(32)を備えた釣針部(30)と、  前記釣針部(30)の軸部(31)に支持されたベイトフィッシュ(60)の側方を当てる押さえ部(40)と、  一端を前記シンカーヘッド(20)に固定し、他端側を前記押さえ部(40)との間で前記ベイトフィッシュ(60)を挟み込むように近接しかつ離反可能に可動自在である可動アーム(50)と、を備えたベイトフィッシュホルダー(10)に係る。
前記押さえ部(40)は、前記釣針部(30)の軸部(31)に載置されたベイトフィッシュ(60)を突き刺すための固定針(44)を有する。
【００１１】
（用語説明）
「シンカーヘッド(20)」とは、鉛、亜鉛合金などの金属からなる“錘”であり、釣糸(11)を取り付けるアイ(21)が一体的に備えられている。
「ベイトフィッシュ(60)」とは、魚の釣餌となる小魚のことで、例えば太刀魚釣りでは、キビナゴが典型的なベイトフィッシュ(60)である。
固定針(44)は、通常は複数本である。たとえば、両端を尖らせた針をコ字形に変形させて押さえ部(40)へ溶接することとすると、製造の効率がよい。
【００１２】
（作用）
ベイトフィッシュ(60)を装着する際、可動アーム(50)を押さえ部(40)から離反した状態にして手に載せる。この時、釣針部(30)の曲がり部(32)の先端の釣針を安全に受け止めるように、押さえ部(40)および釣針部(30)を押さえる。ベイトフィッシュ(60)の頭部をシンカーヘッド(20)に近い位置で釣針部(30)の軸部(31)に載せて位置決めしてから、ベイトフィッシュ(60)の脇腹を前記押さえ部(40)の固定針(44)へ突き刺す。ベイトフィッシュ(60)の脇腹が押さえ部(40)に当たる。次いで、可動アーム(50)の他端側と、釣針部(30)の曲がり部(32)とを指先で押さえながら、可動アーム(50)をベイトフィッシュ(60)の脇腹へ当てる。可動アーム(50)の他端と押さえ部(40)を近接した状態で保持固定する。
前記曲がり部(32)の先端の釣針から外れた箇所を指先で押さえるので、安全である。また、押さえ部(40)の固定針(44)が指先や手に突き刺さる危険性を減少することができる。しかも、ベイトフィッシュ(60)は、簡単に、迅速に、かつ安全にベイトフィッシュホルダー(10)へ装着される。しかも、迅速に装着しやすい。
【００１３】
（第一の発明のバリエーション１）
第一の発明は、以下のようなバリエーションを提供することもできる。
すなわち、  前記可動アーム(50)は、前記押さえ部(40)との間でベイトフィッシュ(60)を挟み込む際に、前記軸部(31)に載置されたベイトフィッシュ(60)の脇腹を当てる当接材(51)を備えることとしてもよい。
【００１４】
（作用）
可動アーム(50)に設けた当接材(51)は幅広であるので、ベイトフィッシュ(60)の脇腹全体がほぼ均等に当たる。しかも、押さえ部(40)の固定針(44)をベイトフィッシュ(60)の脇腹へ突き刺すので、ベイトフィッシュ(60)をベイトフィッシュホルダー(10)に確実に装着することができる。当接材(51)は、安全で、しかも迅速性が向上する。
【００１５】
（第一の発明のバリエーション２）
第一の発明は、前記の固定針(44)における最もシンカーヘッド(20)寄りに位置する固定針は、ベイトフィッシュ(60)の目を突き刺すのに適した位置へ配置すると、より好ましい。
【００１６】
（作用）
最もシンカーヘッド(20)寄りの固定針(44)は、頭部へ突き刺すと、ベイドフィッシュ(60)が安定的に固定できる。ベイドフィッシュ(60)の目を突き刺す場合、ベイドフィッシュ(60)を固定する動作において、小さな力で済む。
最もシンカーヘッド(20)寄りに位置する固定針(44)がベイドフィッシュ(60)の目を突き刺すということは、ベイドフィッシュ(60)の尾が固定針(44)の軸方向と平行に動きやすい状態でベイドフィッシュ(60)が固定されることとなる。この場合、本願に係るベイトフィッシュホルダー(10)を水中で踊らせると、ベイドフィッシュ(60)の尾が、生きている魚と同様の動きをしやすい。
【００１７】
（第一の発明のバリエーション３）
第一の発明における前記押さえ部(40)は、一端を前記シンカーヘッド(20)に固定し、他端側を前記釣針部(30)の軸部(31)に固定することとしてもよい。
【００１８】
（作用）
釣針部(30)と押さえ部(40)を一体的に製作してから前記釣針部(30)の一端をシンカーヘッド(20)に固定してもよい。簡単な構造となるため、製作効率が向上する。釣針部(30)に対する押さえ部(40)の位置関係が常に一定となり、ベイトフィッシュ(60)は釣針部(30)に対して一体的に装着される。
また、押さえ部(40)の一端をシンカーヘッド(20)に固定することで、押さえ部(40)の強度が向上する。
【００１９】
前記押さえ部(40)は、ベイトフィッシュ(60)を載置すべく前記釣針部(30)の軸部(31)に沿って配置したベース片(41)と、前記ベース片(41)と一体的に形成して前記ベイトフィッシュ(60)の側方を当てる押さえ片(42)とを一体成形の板材とする。
その場合、ベイトフィッシュ(60)は、板材でなるベース片(41)に載置しやすくなる。しかも、いわゆる押さえ部(40)の機能をもつ押さえ片(42)の製作が容易である。
【００２０】
（第一の発明のバリエーション４）
第一の発明は、  前記可動アーム(50)におけるシンカーヘッド(20)と反対側の端部側は、ベイトフィッシュ(60)に触れずに跨いで前記押さえ部(40)へ係合する係合部(52)を備えることとしてもよい。
【００２１】
（作用）
可動アーム(50)の他端の係合部(52)を押さえ部(40)へ簡単に、かつ迅速に係合し、押さえ部(40)との間でベイトフィッシュ(60)を挟み込んだ状態が保持される。また、可動アーム(50)の他端の係合部(52)を押さえ部(40)へ係合するとき、その係合部(52)がベイトフィッシュ(60)に触れずに跨ぐので、尾びれが切れにくい。したがって、ベイトフィッシュ(60)の交換頻度を下げることに寄与する。
【発明の効果】
【００２２】
第一の発明によれば、簡単に、迅速に、しかも安全にベイトフィッシュを装着することができるベイトフィッシュホルダーを提供することができた。
【図面の簡単な説明】
【００２３】
【図１】本発明に係る実施形態のベイトフィッシュホルダーにベイトフィッシュを装着し、水中で釣糸にて吊り下げられた状態を示す斜視図である。
【図２】（ａ）は、図１のベイトフィッシュホルダーの側面図である。（ｂ）は、（ａ）のベイトフィッシュホルダーの平面図である。（ｃ）は、（ｂ）のベイトフィッシュホルダーにおいて可動アームを押さえ部から離反した状態の平面図である。
【図３】（ａ）は、図１のベイトフィッシュホルダーにベイトフィッシュを装着する動作を示す斜視図である。（ｂ）は、ベイトフィッシュホルダーにベイトフィッシュを装着した状態を示す斜視図である。
【図４】（ａ）は、図１のベイトフィッシュホルダーに対する平面図である。（ｂ）は、（ａ）のベイトフィッシュホルダーにベイトフィッシュを装着した状態を示す斜視図である。
【図５】図４のベイトフィッシュホルダーに対する変形例を示す平面図である。
【図６】（ａ）は、図１のベイトフィッシュホルダーに対する変形例を示す平面図であり、（ｂ）は、（ａ）の斜視図である。
【図７】（ａ）は、従来のベイトフィッシュホルダーにおいて補助アームを釣針部の軸部から離反した状態の側面図である。（ｂ）は、（ａ）のベイトフィッシュホルダーにおいて補助アームを釣針部の軸部へ近接させてベイトフィッシュを装着する動作を示す側面図である。
【発明を実施するための形態】
【００２４】
以下、本発明の実施形態について図面を参照して説明する。
この実施形態に係るベイトフィッシュホルダー１０は、太刀魚釣りに用いる仕掛けとして説明する。ベイトフィッシュとしては、キビナゴを採用する。ベイトフィッシュホルダー１０は、図１および図２に示すように、シンカーヘッド２０と、釣針部３０と、押さえ部４０と、可動アーム５０とを備えている。以下、本実施形態では、ベイトフィッシュは、「キビナゴ６０」として記載する。
【００２５】
シンカーヘッド２０は、亜鉛合金、タングステンなどの比重の大きな金属からなる“錘”であり、釣糸１１を取り付けるアイ２１を備えている。アイ２１に連結した釣糸１１は、釣竿を介して釣糸リールに巻き取られている。実際の釣りでは、キビナゴ６０をベイトフィッシュホルダー１０に取り付けて水中に投ずると、釣餌としてのキビナゴ６０が図１において二点鎖線で示すようにほぼ垂直状態となる。本実施形態では、図１においてキビナゴ６０を装着した状態を基準に、上下方向、左右方向、前後方向として説明する。
【００２６】
釣針部３０は、本実施形態では、ステンレスなどの金属製の線材であり、ほぼ直線状の軸部３１と、図１において後方向の所定方向に湾曲した形状の曲がり部３２と、からなる。前記軸部３１の一端を前記シンカーヘッド２０に固定し、前記軸部３１の他端側に前記曲がり部３２を一体的に形成している。前記軸部３１はキビナゴ６０を支持するフレームとしての機能を持つ。
前記曲がり部３２の先端は、釣餌としてのキビナゴ６０を食べようとした太刀魚に刺さる釣針３３であり、返し３４を設けている。
【００２７】
押さえ部４０は、前記釣針部３０の軸部３１に支持されたキビナゴ６０の側方を当てる部材である。本実施形態では、前記押さえ部４０は、キビナゴ６０を載置すべく前記釣針部３０の軸部３１に沿って（図１において前側の位置へ）配置したベース片４１と、前記ベース片４１と一体的に形成して前記キビナゴ６０の側方を当てる押さえ片４２と、からなる板材である。
【００２８】
前記ベース片４１は、その上端を前記シンカーヘッド２０に固定し、前記ベース片４１の下端側を前記釣針部３０の軸部３１に係合している。例えば、図２（ａ）に示すようにベース片４１の下端側に後方へ向かう係合片４１ａを形成し、前記係合片４１ａに設けた孔４１ｂに前記軸部３１を通過させることによって前記軸部３１に係合する。それによって、ベース片４１の下端側は、前記釣針部３０の曲がり部３２から離れることなく安定した状態を保つ。
【００２９】
前記押さえ部４０は、ベース片４１と押さえ片４２は一体成形するので、いわゆる押さえ部４０の機能をもつ押さえ片４２の製作が容易となる。しかも、キビナゴ６０は板材でなるベース片４１に載置し易くなる。
【００３０】
前記押さえ片４２は、たとえばキビナゴ６０の頭の側方を当てる第一押さえ片４２ａと、キビナゴ６０の下方の側方（脇腹）を当てる第二押さえ片４２ｂとを前記ベース片４１に対して前方向へ折り曲げ形成している。さらに、前記キビナゴ６０の脇腹の位置に沿って上下方向へ延びる線状の支持棒４３を前記第一押さえ片４２ａと第二押さえ片４２ｂに固定し、前記支持棒４３の下端側に後方向へ延びる被係合部４５を形成している。前記被係合部４５は、後述する可動アーム５０の係合部５２と係合するものである。
【００３１】
前記押さえ部４０は、前記釣針部３０の軸部３１に載置されたキビナゴ６０に突き刺さる３本の固定針４４を有する。この実施形態では、最もシンカーヘッド２０寄りの固定針４４は、押さえ部４０の基部となるワイヤ材におけるシンカーヘッド２０側を折り曲げて形成し、キビナゴ６０の頭を指すのに用いる。突き刺すのが頭部であると、頭部は他の部位よりも堅いので、キビナゴ６０が安定的に固定できる。
なお、前記した固定針４４以外の２本の固定針４４は、両端を尖らせた針をコ字形に変形させ、押さえ部４０の基部となるワイヤ材へ溶接している。この２本の固定針４４は、キビナゴ６０の脇腹辺りを突き刺すこととなる。
【００３２】
キビナゴ６０の目を突き刺す場合には、キビナゴ６０が冷凍されたものであっても、固定する動作において、小さな力で済む。
キビナゴ６０の尾は、固定針４４の軸方向と平行に動きやすい状態で固定されることとなる。この場合、本願に係るベイトフィッシュホルダー１０を水中で踊らせると、キビナゴ６０の尾が、生きている場合と同様の動きをしやすい。
【００３３】
可動アーム５０は、本実施形態では、ステンレスなどの金属製の線材であり、その一端を前記シンカーヘッド２０に固定し、他端側を前記押さえ部４０との間で前記キビナゴ６０を挟み込むように近接し、かつ離反可能に可動自在に形成している。可動アーム５０は弾性（バネ性）を有しており、可動アーム５０の他端側が前記押さえ部４０の押さえ片４２（第一押さえ片４２ａ、第二押さえ片４２ｂおよび支持棒４３を含む）から常時、離反している状態である。
【００３４】
前記可動アーム５０には、前記押さえ部４０との間でキビナゴ６０を挟み込む際に、前記軸部３１（本実施形態において実際にはベース片４１）に載置されたキビナゴ６０の脇腹に当てる当接材５１を設ける。前記当接材５１は、たとえば弾力性を有する樹脂製とすることができる。当接材５１は幅広になっているのでキビナゴ６０の脇腹全体にほぼ均等に当たる。なお、前記当接材５１は、前記押さえ部４０の固定針４４の先端を受ける針受部５１ａを突出してもよい。
【００３５】
前記可動アーム５０の他端部は、前記押さえ部４０との間でキビナゴ６０を挟み込んだ状態で前記押さえ部４０の被係合部４５に係合する係合部（フック）５２を備えている。前記係合部５２としては、たとえば図２（ａ）〜図２（ｃ）に示すように、可動アーム５０の他端側がキビナゴ６０の尾びれにぶつからないように、複数個所（図では２箇所）を折り曲げてから先端に係合部５２を形成する。前記係合部５２は、ベース片４１の下側へ向かって突出するように湾曲しており、前記押さえ部４０における支持棒４３の被係合部４５に引っ掛けることができるように形成している。
【００３６】
上述の本実施形態のベイトフィッシュホルダー１０における作用について説明する。
釣餌（ベイトフィッシュ）であるキビナゴ６０をベイトフィッシュホルダー１０へ装着するには、図３（ａ）に示すように、可動アーム５０を押さえ部４０から離反した状態にして片方の手の上に載せる。この時、釣針部３０における曲がり部３２の先端の釣針３３を安全に受け止めるように、手のひらと複数の指先で押さえ部４０および釣針部３０を押さえる。また、固定針４４から外れた箇所を押さえるように注意する。
【００３７】
キビナゴ６０の頭部をシンカーヘッド２０に近い位置で前記押さえ部４０のベース片４１に載せて位置決めしてから、キビナゴ６０の脇腹を前記押さえ部４０の押さえ片４２の固定針４４へ突き刺す。キビナゴ６０の脇腹が押さえ片４２に当たる。ベース片４１は板状であるので、キビナゴ６０を載せ易い。
少なくとも一本の固定針４４がキビナゴ６０の頭へ刺さっていると、冷凍状態から柔らかくなったキビナゴ６０であっても外れにくい。
【００３８】
可動アーム５０の他端側と、釣針部３０の曲がり部３２とを他方の手の指先で押さえながら、可動アーム５０をキビナゴ６０の脇腹へ近接するように移動させる。この時、前記曲がり部３２の先端の釣針３３から外れた箇所を指先で押さえるので、安全である。そのように移動しながら、図３（ｂ）に示すように、可動アーム５０の当接材５１をキビナゴ６０の脇腹に当てて、可動アーム５０の他端の係合部５２（フック）を押さえ部４０の被係合部４５へ簡単に、かつ迅速に係合する。
可動アーム５０と押さえ部４０との間でキビナゴ６０を挟み込んだ状態を保持することができる。また、押さえ部４０の固定針４４が指先や手に突き刺さる危険性を減少することができる。
【００３９】
以上のように、キビナゴ６０を釣針部３０の軸部３１（本実施形態において実際にはベース片４１）へ載せた状態となるように、簡単に、迅速に、安全にベイトフィッシュホルダー１０に装着することができる。しかも、冷凍あるいは解凍された釣餌であるキビナゴ６０であっても、迅速に装着しやすい。
また、可動アーム５０の他端の係合部５２を押さえ部４０の被係合部４５へ係合するとき、係合部５２がキビナゴ６０の尾びれを跨ぐのでキビナゴ６０に触れず、係合部５２の端部もキビナゴ６０が接触しない場所へ位置するので、尾びれに接触して切れてしまうという事態を防ぐことになる。
【００４０】
次に、前述の実施形態の変形例について説明する。なお、前述の実施形態と異なる点を説明する。他は同様であるので詳しい説明は省略する。
例えば、図４（ａ）および図４（ｂ）は、押さえ部４０へ当接材４６を設けている。この当接材４６は、たとえば弾力性を有する樹脂製とすることができる。当接材４６は幅広になっているのでキビナゴ６０の脇腹全体にほぼ均等に当たる。しかも、可動アーム５０の固定針５３をキビナゴ６０へ突き刺すことで、キビナゴ６０をベイトフィッシュホルダー１０に確実に装着することができる。
【００４１】
上記の当接材４６は、図５に示すように、キビナゴ６０の脇腹へ当てる側の表面に、突起部４７を形成することができる。前記突起部４７は、縦方向に長い凹凸形状であっても、あるいは、多数の突起であってもよく、特に限定されない。当接材４６の表面の摩擦性が増すので、キビナゴ６０をベイトフィッシュホルダー１０へより一層確実に装着することができる。
【００４２】
以下、他の変形例について説明する。前述の実施形態における押さえ部４０は、前記釣針部３０の軸部３１に固定してもよい。例えば、押さえ部４０が前述したようにベース片４１と押さえ片４２とからなる場合、ベース片４１の一端をシンカーヘッド２０に固定せず、ベース片４１を前記釣針部３０の軸部３１に沿って、たとえば溶接等にて固定することができる。
【００４３】
図１および図４に示した前述の実施形態における押さえ部４０は、ベース片４１と押さえ片４２とからなる板材であるが、図６に示すように、ステンレスなどの金属製の線材４２ｃにて形成することができる。
図６では、金属製の線材４２ｃは前述の押さえ片４２に相当する部材として用いており、ベース片４１は同様にしている。すなわち、押さえ部４０はベース片４１と線材４２ｃとの組み合わせである。さらに、前記線材４２ｃへ当接材４６を備えている。当接材４６に設けた溝を線材４２ｃへ嵌め込むように形成している。なお、図６では、押さえ部４０が左側に配置し、可動アーム５０が右側に配置している。
【００４４】
前述の実施形態における押さえ部４０は、ベース片４１と押さえ片４２とからなる板材、あるいはベース片４１と金属製の線材４２ｃとの組み合わせであるが、すべてステンレスなどの金属製の線材にて形成することができる。
押さえ部４０における金属製の線材４２ｃは、前記釣針部３０の軸部３１に固定することができる。あるいは、前記金属製の線材４２ｃの一端をシンカーヘッド２０に固定し、前記線材４２ｃの他端側を前記釣針部３０の軸部３１に固定することができる。この場合、前者の場合より押さえ部４０の強度を向上することができる。
【００４５】
前記押さえ部４０を前記釣針部３０の軸部３１に固定する場合、釣針部３０と押さえ部４０を一体的に製作してから前記釣針部３０の一端をシンカーヘッド２０に固定してもよい。そうすることで、簡単な構造となり、製作効率が向上する。釣針部３０に対する押さえ部４０の位置関係が常に一定となり、キビナゴ６０は釣針部３０に対して一体的に装着される。
【産業上の利用可能性】
【００４６】
本発明は、釣り具の製造業、釣り具のレンタル業、アウトドアスポーツのインストラクター事業などにおいて、利用可能性を有する。
【符号の説明】
【００４７】
１０；  ベイトフィッシュホルダー      １１；  釣糸
２０；  シンカーヘッド                ２１；  アイ
３０；  釣針部                        ３１；  軸部
３２；  曲がり部                      ３３；  釣針
３４；  返し
４０；  押さえ部                      ４１；  ベース片
４１ａ；係合片                        ４１ｂ；孔
４２；  押さえ片                      ４２ａ；第一押さえ片
４２ｂ；第二押さえ片                  ４３；  支持棒
４４；  固定針                        ４５；  被係合部
４６；  当接材                        ４７；  突起部
５０；  可動アーム                    ５１；  当接材
５１ａ  針受部                        ５２；  係合部（フック）
５３；  固定針
６０；  キビナゴ（ベイトフィッシュ）
【図１】
2014161329.tif 000003
【図２】
2014161329.tif 000004
【図３】
2014161329.tif 000005
【図４】
2014161329.tif 000006
【図５】
2014161329.tif 000007
【図６】
2014161329.tif 000008
【図７】
2014161329.tif 000009